(57)【要約】  製品幅の金属帯状体を下方にたるませて間欠送りしても、製品幅の金属帯状体どうしが絡まないようにする熱交換器用フィンの製造方法を提供することを課題とする。  解決手段として、金属帯状体（４８）を形成する工程と、列間スリット装置（５２）により製品幅の金属帯状体（４９）を形成し第１送り装置（５０）により送り出す工程と、製品幅の金属帯状体（４９）を下方にたるませた状態を経てから第２送り装置（６２）によりカットオフ装置（６０）に送り込む工程と、カットオフ装置（６０）により製品幅の金属帯状体（４９）のそれぞれを所定長さに切断して熱交換器用フィン（３０）を形成する工程とを有する熱交換器用フィンの製造方法において、列間スリット装置（５２）とカットオフ装置（６０）との間における製品幅の金属帯状体（４９）の長さを、隣り合う製品幅の金属帯状体（４９）の間で異ならせるように予めセッティングしておくことを特徴とする。
2016103444.tif 000002
【特許請求の範囲】
【請求項１】
複数の透孔又は複数の切り欠き部を有する金属帯状体を形成する工程と、
列間スリット装置により前記金属帯状体を列方向に切断して当該列方向に複数本整列させた製品幅の金属帯状体を形成して第１送り装置により送り出す工程と、
前記列間スリット装置から送り出された複数本の前記製品幅の金属帯状体を、下方にたるませた状態を経てから第２送り装置によりカットオフ装置に送り込む工程と、
前記カットオフ装置により複数本の前記製品幅の金属帯状体のそれぞれを所定長さに切断して熱交換器用フィンを形成する工程と、を有する熱交換器用フィンの製造方法において、
前記列間スリット装置と前記カットオフ装置との間における前記製品幅の金属帯状体の長さを、隣り合う前記製品幅の金属帯状体の間で異ならせるように予めセッティングしておくことを特徴とする熱交換器用フィンの製造方法。
【請求項２】
前記列間スリット装置と前記カットオフ装置との間における前記製品幅の金属帯状体の長さを、隣り合う前記製品幅の金属帯状体の間で異ならせる際に、
前記列間スリット装置から送り出された前記製品幅の金属帯状体の送り方向における先端部分を前記第２送り装置に装着する際において、隣り合う前記製品幅の金属帯状体の間で、前記第２送り装置への装着位置を送り方向においてずらして装着することを特徴とする請求項１記載の熱交換器用フィンの製造方法。
【請求項３】
前記製品幅の金属帯状体の送り方向における先端部分を、隣り合う前記製品幅の金属帯状体の間でずらした状態で前記第２送り装置に装着した後、
前記第２送り装置に装着した前記製品幅の金属帯状体の余剰長さ部分を切り取ることを特徴とする請求項２記載の熱交換器用フィンの製造方法。
【請求項４】
前記列間スリット装置から送り出された前記製品幅の金属帯状体の送り方向における先端部分を前記第２送り装置に装着する際において、
隣り合う前記製品幅の金属帯状体の前記列間スリット装置と前記カットオフ装置との間の送り方向における長さ寸法を予め異ならせておくことを特徴とする請求項２記載の熱交換器用フィンの製造方法。
【発明の詳細な説明】
【技術分野】
【０００１】
本発明は、複数の透孔または複数の切欠部を有する熱交換器用フィンを製造する熱交換器用フィンの製造方法に関する。
【背景技術】
【０００２】
従来のクーラー等の熱交換器は、熱交換チューブを挿入する透孔が複数個穿設された熱交換器用フィンが複数枚積層されて構成されているものが一般的である。
かかる熱交換器用フィンは、図７に示すような熱交換器用フィンの製造装置１によって製造することができる（特許文献１参照）。
熱交換器用フィンの製造装置１には、アルミニウム等の金属製の薄板１０がコイル状に巻かれたアンコイラー１２が設けられている。アンコイラー１２からピンチロール１４を経て引き出された薄板１０は、オイル付与装置１６に挿入され、薄板１０の表面に加工用オイルを付着させた後、プレス装置１８内に設けられた金型装置２０に供給される。【０００３】
金型装置２０は、内部に上下動可能な上型ダイセット２２と、静止状態にある下型ダイセット２４とが設けられている。この金型装置２０によって、透孔の周囲に所定高さのカラーが形成された複数個のカラー付き透孔（図示せず）が所定の方向に所定の間隔（マトリクス状配列）で形成される。以下、金属製の薄板に透孔等が加工されたものを、金属帯状体１１と称する。【０００４】
ここで加工された金属帯状体１１は、製品となる熱交換器用フィンが幅方向に複数配列された状態で形成されている。このため、金型装置２０の下流位置には、列間スリット装置２５が設けられている。列間スリット装置２５は、第１送り装置２６により間欠送りされる金属帯状体１１を、噛み合わせた上刃２５Ａと下刃２５Ｂとで切断し、搬送方向に長い帯状の製品幅の金属帯状体１１Ａを形成するものである。【０００５】
製品幅の金属帯状体１１Ａは、カッター２７によって所定長さに切断され、製造目的品である熱交換器用フィン１３に形成される。熱交換器用フィン１３はスタッカ２８に収容される。スタッカ２８には、鉛直方向に複数のピン２９が立設されている。熱交換器用フィン１３は熱交換器用フィン１３に形成された透孔内にピン２９を挿入されることによりスタッカ２８に積層保持される。
【先行技術文献】
【特許文献】
【０００６】
【特許文献１】特開平６−２１１３９４号公報
【特許文献２】特開２０１４−８７８３０号公報
【発明の概要】
【発明が解決しようとする課題】
【０００７】
従来の熱交換器用フィン１３は、金属帯状体１１に熱交換チューブが挿入される複数の透孔が穿設されたものであった。
しかしながら現在、多穴の扁平チューブを用いた熱交換器が流通している。この扁平チューブを用いた熱交換器用フィンを図８Ａおよび図８Ｂに示す。【０００８】
熱交換器用フィン３０は、扁平チューブ３２が挿入されるチューブ挿入部３４が所要の間隔をあけて複数形成されており、チューブ挿入部３４とチューブ挿入部３４との間は、ルーバー３５が形成された板状部３６が形成されている。
チューブ挿入部３４は、熱交換器用フィン３０の幅方向の一方側からのみ形成されている。したがって、チューブ挿入部３４とチューブ挿入部３４との間の複数の板状部３６は、長手方向に沿って伸びる連結部３８によって連結されている。切り起し部３７は、熱交換器用フィン３０を積層させる際において、上下の熱交換器用フィン３０の間に隙間を形成するためのものである。【０００９】
ところで、熱交換器用フィンを製造する製造装置における、製品幅の金属帯状体を所定長さに切断して製品である熱交換器用フィンを形成するカットオフ装置では、製品の長さを任意に変更できるように、列間スリット装置における製品幅の金属帯状体の１回（型閉じ１回）の送り長さよりも、カットオフ1回の送り長さを長くすることができる。
このため、列間スリット装置とカットオフ装置との間では、カットオフ装置による１回の送り長さよりも長い長さを一時的に溜めるため、製品幅の金属帯状体を下方にたるませておくことがある。【００１０】
このように製品幅の金属帯状体を下方にたるませた場合、製品幅の金属帯状体が間欠送りされることによって製品幅の金属帯状体が揺動し、隣接する製品幅の金属帯状体どうしが絡んでしまうという不具合が発見された。この不具合を解消すべく、製品幅の金属帯状体の下方へのたるみ状態を管理するための制御部を有する熱交換器用フィンの製造装置の構成が特許文献２に開示されている。【００１１】
しかしながら、特許文献２に開示されている制御部の構成は制御内容が複雑であることもあり、このような制御部を採用した熱交換器用フィンの製造装置は提供コストが高価になるという課題がある。
このような高価な制御部を採用せずに製品幅の金属帯状体の絡みを防止すべく、製品幅の金属帯状体どうしを離反させようとすると、熱交換器用フィンの製造装置そのもの、または、設置面積の大型化が不可避になってしまう。これにより、工場の単位面積当たりにおける熱交換器用フィンの製造量が低下してしまい、熱交換器用フィンの製造コストの低減が阻害されるといった課題もある。【００１２】
本発明は、上記すべての課題を解決すべくなされたものであり、その目的とするところは、従来の熱交換器用フィンの製造装置であっても、製品幅の金属帯状体どうしが絡まないようにすることが可能な熱交換器用フィンの製造方法を提供することにある。
【課題を解決するための手段】
【００１３】
出願人は、上記課題を解決するため鋭意研究をした結果、課題を解決することが可能な構成に想到した。
すなわち、本発明は、複数の透孔又は複数の切り欠き部を有する金属帯状体を形成する工程と、列間スリット装置により前記金属帯状体を列方向に切断して当該列方向に複数本整列させた製品幅の金属帯状体を形成して第１送り装置により送り出す工程と、前記列間スリット装置から送り出された複数本の前記製品幅の金属帯状体を、下方にたるませた状態を経てから第２送り装置によりカットオフ装置に送り込む工程と、前記カットオフ装置により複数本の前記製品幅の金属帯状体のそれぞれを所定長さに切断して熱交換器用フィンを形成する工程と、を有する熱交換器用フィンの製造方法において、前記列間スリット装置と前記カットオフ装置との間における前記製品幅の金属帯状体の長さを、隣り合う前記製品幅の金属帯状体の間で異ならせるように予めセッティングしておくことを特徴とする。【００１４】
本構成を採用することによって、列間スリット装置とカットオフ装置との間に新たな構成を配設せずとも、列間スリット装置とカットオフ装置との間で製品幅の金属帯状体を下方へたるませた部分において、製品幅の金属帯状体どうしが絡むことを防止することができる。
これにより、熱交換器用フィンの製造装置に新たな構成を付加することなく、熱交換器用フィンの製造歩留まりを向上させることができる。【００１５】
また、前記列間スリット装置と前記カットオフ装置との間における前記製品幅の金属帯状体の長さを、隣り合う前記製品幅の金属帯状体の間で異ならせる際に、前記列間スリット装置から送り出された前記製品幅の金属帯状体の送り方向における先端部分を前記第２送り装置に装着する際において、隣り合う前記製品幅の金属帯状体の間で、前記第２送り装置への装着位置を送り方向においてずらして装着することが好ましい。【００１６】
これにより、初期設定や段取り替え等の際に、製品幅の金属帯状体の先端部分側の送り装置への装着位置を調整するだけでよく、列間スリット装置とカットオフ装置との間で下方へのたるませた部分での製品幅の金属帯状体どうしの絡みを防止するための処理を極めて低コストで行うことができる。【００１７】
また、前記製品幅の金属帯状体の送り方向における先端部分を、隣り合う前記製品幅の金属帯状体の間でずらした状態で前記第２送り装置に装着した後、前記第２送り装置に装着した前記製品幅の金属帯状体の余剰長さ部分を切り取ることが好ましい。【００１８】
また、前記列間スリット装置から送り出された前記製品幅の金属帯状体の送り方向における先端部分を前記第２送り装置に装着する際において、隣り合う前記製品幅の金属帯状体の前記列間スリット装置と前記カットオフ装置との間の送り方向における長さ寸法を予め異ならせておくことが好ましい。【００１９】
これらの構成によれば、製造開始直後に形成された製品を最終製品として採用することが可能になり、長さ寸法が異なるワンショット目の金属帯状体をスタック装置等から取り外す必要がなく、効率的な製品の製造を行うことができる。
【発明の効果】
【００２０】
本発明によれば、熱交換器用フィンの製造装置に新たな構成を追加することなく、列間スリット装置とカットオフ装置との間で下方にたるませた状態の製品幅の金属帯状体を、互いに絡まない程度に離反させた状態を維持することができる。したがって、製造装置に費用をかけることなく製造歩留まりを向上させることができ、製品の製造コストを低減させることができる。
【図面の簡単な説明】
【００２１】
【図１】本実施形態にかかる熱交換器用フィンの製造装置の全体構成を示す側面図である。
【図２】図１の金型装置によって加工された金属帯状体の平面図である。
【図３】送り装置に製品幅の金属帯状体を装着する際の状態を示す要部平面図である。
【図４】本実施形態における熱交換器用フィンの製造方法の概略工程図である。
【図５】図１内のＡ−Ａ線における端面図である。
【図６】受け部の変形例を示す側面図である。
【図７】熱交換器用フィンを製造する製造装置の従来構成例を示す説明図である。
【図８】図８Ａ熱交換器用フィンの平面図である。図８Ｂ熱交換器用フィンの側面図である。
【発明を実施するための形態】
【００２２】
本実施形態にかかる熱交換器用フィンの製造装置の全体構成を図１に示す。
アルミニウム等の未加工の金属製の薄板４１は、アンコイラー４０にコイル状に巻回されている。アンコイラー４０から引き出された薄板４１は、ループコントローラ４２内に挿入され、間欠送りされる薄板４１のばたつきがループコントローラ４２によって抑えられる。
【００２３】
ループコントローラ４２の下流側には、ＮＣフィーダ４４が設けられている。ＮＣフィーダ４４は、薄板４１の上面と下面とに接触する２つのローラから構成されており、２つのローラが回転駆動することにより、薄板４１を互いに挟み込んで薄板４１を間欠送りする。
【００２４】
ＮＣフィーダ４４の下流側には、金型装置４６が内部に配置されたプレス装置４７が設けられている。本実施形態の金型装置４６は、上型ダイセット４６Ａと下型ダイセット４６Ｂとを有し、上型ダイセット４６Ａまたは下型ダイセット４６Ｂの一方が他方に対して接離動可能に設けられている。プレス装置４７において、薄板４１が金型装置４６によって所定の形状の金属帯状体４８に形成される。
【００２５】
ここで形成される金属帯状体４８を図２に示す。
図２に示す金属帯状体４８は、搬送方向（図２内の横方向の矢印）に直交する幅方向（図２内の縦方向の矢印）に４列の製品群が並んで形成されている。金属帯状体４８を個片化して得られる各々の製品については、図８Ａおよび図８Ｂを参照して説明するが、扁平チューブ３２が挿入されるチューブ挿入部３４が複数箇所に形成されており、チューブ挿入部３４とチューブ挿入部３４との間は、ルーバー３５が形成された板状部３６が形成されている。
【００２６】
また、ルーバー３５の幅方向の両端部側には、板状部３６の一部を切り起こされて形成された切り起し部３７が形成されている。１つのルーバー３５に対する２つの切り起し部３７，３７のうち、一方側の切り起し部３７は、板状部３６の先端部側に形成されている。
【００２７】
チューブ挿入部３４は、熱交換器用フィン３０の幅方向の一方側からのみ形成されている。したがって、チューブ挿入部３４とチューブ挿入部３４との間の複数の板状部３６は、長手方向に沿って伸びる連結部３８によって連結されている。
上記の１つのルーバー３５に対する２つの切り起し部３７，３７のうち、他方側の切り起し部３７は、この連結部３８上に形成されている。
【００２８】
図２に示す金属帯状体４８は、２つの製品が、互いのチューブ挿入部３４の開口側が隣接するように向い合わせた状態で配置されている組が、２組形成されている。すなわち、２つの製品のチューブ挿入部３４の開口側が対向して配置された組が、互いの連結部３８が隣接するように配置されている。
このように、４つの製品を相対するように配置することによって、金型装置４６および金属帯状体４８の左右の荷重バランスが良くなる。
【００２９】
なお、図２のような金属帯状体４８と異なり、複数の製品のチューブ挿入部３４の開口側が全て一方方向に向いて配置させてしまうと、各製品群を切り離す列間スリット装置５２（後述する）によって各製品間を切り離す際に、チューブ挿入部３４とそうでない部位との間で、切断位置のずれによる切断片（ヒゲ：切断不良）が生じてしまう可能性が高い。したがって、複数の製品のチューブ挿入部３４の開口側が全て一方方向に向いて配置させる場合には、チューブ挿入部３４の開口部の境目ではなく、連結部３８部分に進入した位置までチューブ挿入部３４の開口部分を若干広げ、切断させる必要が出てくる。しかし、この場合だと断面に段差が生じてしまうし、また金型の左右の荷重バランスが悪くなる。したがって、図２に示したような配置で複数の製品を製造することが好ましいのである。
【００３０】
製造装置の全体構成の説明に戻る。
プレス装置４７内の金型装置４６で形成された金属帯状体４８は、プレス装置４７の下流側に設けられている第１送り装置５０によって間欠的に搬送方向に送られる。第１送り装置５０の送りタイミングは、ＮＣフィーダ４４と連動して動作するように設けられており、安定した間欠送りを可能とする。
【００３１】
第１送り装置５０は、水平方向に移動可能な往復動ユニット５１が、初期位置と移送位置との間を往復動して金属帯状体４８を牽引する。往復動ユニット５１の上面には、送りピン５５が上方に突出して配置されており、送りピン５５が金属帯状体４８に形成されたチューブ挿入部３４内に下方から進入し、送りピン５５が牽引することで金属帯状体４８は移送位置まで移動する。
【００３２】
第１送り装置５０の下流側には、列間スリット装置５２が設けられている。列間スリット装置５２は、金属帯状体４８の上面側に配置された上刃５３と、金属帯状体４８の下面側に配置された下刃５４とを有する。列間スリット装置５２は、プレス装置４７の上下動動作を利用して動作するように設けるとよい。上刃５３及び下刃５４は、金属帯状体４８の搬送方向に長尺に形成されており、間欠送りされる金属帯状体４８を、噛み合わせた上刃５３と下刃５４とで切断し、搬送方向に長い製品の中間体である製品幅の金属帯状体４９に形成する。
【００３３】
列間スリット装置５２によって製品幅に切断された、複数本に分割された製品幅の金属帯状体４９は、受け部５６を経由して下方にたるませた状態を経てからカットオフ装置６０内に送り込まれる。カットオフ装置６０内には、搬送方向に各製品幅の金属帯状体４９を間欠的に搬送する第２送り装置６２が設けられている。第２送り装置６２の構造としては、プレス装置４７の下流側に設けられている第１送り装置５０の構造よりも、１回の送り長さが長くすることができるような構成となっている。
【００３４】
本実施形態における受け部５６は、列間スリット装置５２により複数本に分割された製品幅の金属帯状体４９の送り出し位置にそれぞれ対応させた状態で配設されている。受け部５６は、その上面高さ位置が列間スリット装置５２における製品幅の金属帯状体４９の搬送面高さ位置に擦り付けられると共に、列間スリット装置５２からカットオフ装置６０に向って突出するようにして延設されている。このような受け部５６を採用することにより、列間スリット装置５２から送り出された製品幅の金属帯状体４９は、下面が支持されることによって、自重による変形が防止された状態でカットオフ装置６０に向けてガイドされることになる。
【００３５】
本実施形態における受け部５６は、列間スリット装置５２からカットオフ装置６０側に向って徐々に下降する上側に凸形状となる湾曲形状に形成されている。このような形状の受け部５６を採用することにより、列間スリット装置５２から送り出された製品幅の金属帯状体４９が自重により急激に下方にたるむことがなく、製品幅の金属帯状体４９に意図しない屈曲部が形成されることが防止される。
【００３６】
ここで、受け部５６は、列間スリット装置５２からの製品幅の金属帯状体４９が送り出される方向（搬送方向）における下流端位置に対して着脱可能であることが好ましい。このような着脱形態としては、ねじなどの締結手段や磁石を用いた着脱構造を採用することができる。また、受け部５６は、列間スリット装置５２から受け部５６の先端位置までの長さが調整可能であることがさらに好ましい。このような受け部５６の長さ調整を可能にする構成としては、長さ寸法の異なる複数の受け部５６を準備する他、釣竿や三脚等において採用されている引き伸ばし構造や、複数のアームを回動（屈曲）可能に連結した構造等を採用することができる。
【００３７】
なお、カットオフ装置６０に送り込まれる前に、複数本（本実施形態では４本）の製品幅の金属帯状体４９は、隣り合う製品幅の金属帯状体４９どうしの間を所定間隔（後述するスタック装置の構造にもよるが、５〜１０ｍｍ程度）あけるように配置される。また、カットオフ装置６０に送り込まれる前には、複数本の製品幅の金属帯状体４９は、カットオフ装置６０による１回の送り長さよりも長い長さを一時的に溜めるため、下方にたるませるようにしている（図１参照）。
【００３８】
先述にあるように、製品幅の金属帯状体４９は搬送方向に水平側に直交する方向（幅方向）における重量バランスが搬送方向の中心線に対して対称になっていない。このため、製品幅の金属帯状体４９を下方にたるませた状態で、製品幅の金属帯状体４９を間欠送りしようとすると、下方にたるませた部分で製品幅の金属帯状体４９が揺動し、隣接する製品幅の金属帯状体４９が絡まってしまうおそれがある。
【００３９】
そこで、図３に示すように列間スリット装置５２から送り出された製品幅の金属帯状体４９の先端部分を第２送り装置６２（搬送ユニット６４の送りピン６５）に装着する際に、第１列目および第３列目と、第２列目と第４列目との製品幅の金属帯状体４９の送り方向における装着位置が異なるようにして（ずらして）いる。すなわち、列間スリット装置５２とカットオフ装置６０との間における第１列目および第３列目の製品幅の金属帯状体４９の長さと、第２列目と第４列目における製品幅の金属帯状体４９の長さを異ならせているのである。
【００４０】
このような列間スリット装置５２とカットオフ装置６０との間における製品幅の金属帯状体４９の長さを異ならせる処理は、熱交換器用フィン３０の製造開始前のセッティング時や、未加工の金属製の薄板４１の交換時等に行われる。具体的には、図４に示すように、熱交換器用フィンの製造装置１００を短時間稼働させ、金属帯状体４８を形成し（Ｓ１）、列間スリット装置５２により製品幅の金属帯状体４９を形成し（Ｓ２）、列間スリット装置５２とカットオフ装置６０との間の距離よりも長い製品幅の金属帯状体４９を送り出す（Ｓ３）。
【００４１】
ここで一旦熱交換器用フィンの製造装置１００の稼働を停止させる（Ｓ４）。オペレータは、列間スリット装置５２とカットオフ装置６０との間に送り出された製品幅の金属帯状体４９の先端部を、隣り合う製品幅の金属帯状体４９間で、列間スリット装置５２とカットオフ装置６０との間における長さが異なるようにして第２送り装置６２の送りピン６５に装着し（Ｓ５）、熱交換器用フィンの製造装置１００の稼働を再開させる（Ｓ６）のである。
【００４２】
熱交換器用フィンの製造装置１００の稼働が再開すると、列間スリット装置５２から送り出された製品幅の金属帯状体４９は、列間スリット装置５２とカットオフ装置６０との間で下方にたるんだ状態となった後、カットオフ装置６０に送り込まれることになる（Ｓ７）。カットオフ装置６０に送り込まれた製品幅の金属帯状体４９は送り方向における所要長さ寸法にカットされ、最終製品である熱交換器用フィン３０に形成される（Ｓ８）。
【００４３】
ここでは、列間スリット装置５２とカットオフ装置６０との間における第１列目と第３列目の製品幅の金属帯状体４９の長さを、列間スリット装置５２とカットオフ装置６０との間における第２列目と第４列目の製品幅の金属帯状体４９の長さよりも長くしている。より具体的には、図３に示すように、第２列目と第４列目の製品幅の金属帯状体４９は、その先端部の位置を第２送り装置６２よりもスタック装置８０側にはみ出させた状態で第２送り装置６２に装着されている。これにより、列間スリット装置５２とカットオフ装置６０との間における第１列目と第３列目の製品幅の金属帯状体４９の下方へのたるみ量は、列間スリット装置５２とカットオフ装置６０との間における第２列目と第４列目の製品幅の金属帯状体４９の下方へのたるみ量よりも大きくすることができる。
【００４４】
これにより、列間スリット装置５２とカットオフ装置６０との間において製品幅の金属帯状体４９を下方へたるませ部分によるループ形状（以下、単にループ形状ということがある）が隣接する製品幅の金属帯状体４９間で異なることになり、隣り合う製品幅の金属帯状体４９の離間距離を広げることができる。ひいては、列間スリット装置５２とカットオフ装置６０との間における下方へのたるませ部分での隣り合う製品幅の金属帯状体４９どうしの絡まりの発生を防止することができるのである。
【００４５】
第２送り装置６２への製品幅の金属帯状体４９の先端部分を装着した後、第２送り装置６２への装着部分からはみ出している部分を切り取れば、カットオフ装置６０によりカットされた後の熱交換器用フィン３０の長さを揃えておくことができ、ワンショット目からの熱交換器用フィン３０をそのまま最終製品として用いることができる。
【００４６】
ところで、本実施形態においては、図１に示すように列間スリット装置５２から送り出される製品幅の金属帯状体４９のうち第１列目および第３列目に対応させた受け部５６と、同じく第２列目と第４列目に対応させた受け部５６との列間スリット装置５２からの突出量を異ならせている。より具体的には、第１列目および第３列目の製品幅の金属帯状体４９に対応させた受け部５６の突出量よりも、第２列目および第４列目の製品幅の金属帯状体４９に対応させた受け部５６の突出量の方が多くなるようにした。
【００４７】
列間スリット装置５２から送り出される４本の製品幅の金属帯状体４９は、列間スリット装置５２からの受け部５６の突出量を異ならせていることにより、第１列目および第３列目と、第２列目および第４列目と、において、列間スリット装置５２から離反した後における下方へのたるみ状態の相違量をさらに増加させることができる。
【００４８】
これにより、列間スリット装置５２からの突出量が多い受け部５６が取り付けられている第２列目と第４列目の製品幅の金属帯状体４９は、列間スリット装置５２の搬送方向の下流端位置から受け部５６の上面に沿って所要距離にわたり水平方向に搬送された後、自重により下方に略Ｕ字状をなしてたるむことになる。これに対して列間スリット装置５２からの突出量が少ない第１列目と第３列目の製品幅の金属帯状体４９は、第２列目と第４列目の製品幅の金属帯状体４９の下方へのたるみ開始位置よりも列間スリット装置５２側の位置で下方にたるみはじめることになる。
【００４９】
すなわち、第２列および第４列における製品幅の金属帯状体４９によるループ形状部分の下側頂点位置と、第１列および第３列における製品幅の金属帯状体４９によるループ形状部分の下側頂点位置とで高さが異なることにもなる。換言すると、列間スリット装置５２からの受け部５６の突出量の相違により、図１に示すように製品幅の金属帯状体４９の下方へのたるみ開始位置と下側頂点の高さ位置（略Ｕ字状をなしたループ形状部分における縦横のアスペクト比）を異ならせることができる。
【００５０】
このように、本実施形態においては、列間スリット装置５２に対する受け部５６の突出量の相違により、列間スリット装置５２とカットオフ装置６０との間において、水平方向に隣接する製品幅の金属帯状体４９を水平（幅）方向および鉛直（高さ）方向にそれぞれ大きくずらした状態にすることができる（図５参照）。すなわち、単に、列間スリット装置５２とカットオフ装置６０との間の製品幅の金属帯状体４９の長さを変更した際におけるループ形状部分における隣り合う製品幅の金属帯状体４９の離間距離よりも離間距離を拡大することができることは明らかである。
【００５１】
このように列間スリット装置５２とカットオフ装置６０との間における隣り合う製品幅の金属帯状体４９のループ形状部分の離間距離が大きいほど、製品幅の金属帯状体４９の送り出し速度（搬送速度）を高めることができる点において好都合である。
【００５２】
先述したようにカットオフ装置６０内には、図１に示すように、搬送方向に各製品幅の金属帯状体４９を間欠的に搬送する第２送り装置６２が設けられている。第２送り装置６２は、水平方向に移動可能な搬送ユニット６４が、所定距離移動することにより製品幅の金属帯状体４９をプレス装置４７側から牽引し、カットオフ装置６０の下流側に押し出す。搬送ユニット６４の上面には、製品幅の金属帯状体４９の数だけ水平方向に並んだ複数列の送りピン６５が列状に上方に突出して配置されている。送りピン６５が各製品幅の金属帯状体４９に形成されたチューブ挿入部３４内に下方から進入し、送りピン６５が牽引することでそれぞれの製品幅の金属帯状体４９を移送位置まで移動させることができる。
【００５３】
第２送り装置６２の下流側には、切断装置６６が設けられている。
切断装置６６は、それぞれの製品幅の金属帯状体４９を所定長さに切断することにより、最終的な熱交換器用フィン３０を作成するものである。切断装置６６は、各製品幅の金属帯状体４９の上面側に配置された上刃６８と、各製品幅の金属帯状体４９の下面側に配置された下刃６９とを有する。
上刃６８と下刃６９とが型閉じすることによって、各製品幅の金属帯状体４９が搬送方向において所定長さ寸法に切断され、熱交換器用フィン３０が製造される。
【００５４】
製造された熱交換器用フィン３０は、スタック装置８０に複数枚積層されてスタックされる。
熱交換器用フィン３０のスタック方法の一例について説明する。カットオフ装置６０により所定寸法に切断された熱交換器用フィン３０は、保持状態を継続する保持装置７０に保持される。保持装置７０の下方には、カットオフ装置６０により所定長さに切断された熱交換器用フィン３０を積層させるためのスタック装置８０が設けられている。
【００５５】
保持装置７０は、列間スリット装置５２から送り出される製品幅の金属帯状体４９の側方位置と製品幅の金属帯状体の保持位置との間で互いに製品幅の金属帯状体４９の搬送方向に対して直交する水平方向に接離動可能に設けられた一対の保持体（図示せず）を有している。
スタック装置８０は、保持装置７０により保持されている熱交換器用フィン３０のチューブ挿入部３４に下方から挿通可能に立設された複数本のスタックピン８１と、スタックピン８１の下端に設けられた台座８２を有している。台座８２には台座８２を上下方向（高さ方向）に移動させるための上下動装置８３が設けられている。上下動装置８３としてはモータ駆動装置が好適に用いられる。スタック装置８０は以上に説明した構成に限定されるものではなく、他の構成例としてはマガジン状のスタック装置８０を採用することもできる。
【００５６】
また、本実施形態にかかる熱交換器用フィンの製造装置１００はＣＰＵおよび記憶部（いずれも図示せず）を有する制御部９０を有している。制御部９０の記憶部には予め熱交換器用フィンの製造装置を構成する各構成の動作制御を行うための動作制御プログラムが記憶されていて、ＣＰＵが記憶部から動作制御プログラムを読み取り、動作制御プログラムに沿って各構成の動作制御を行う。このようにＣＰＵおよび動作制御プログラムによる各構成の動作制御が行われることで、熱交換器用フィンの製造装置１００における各構成の一連の動作を連携させることが可能になっている。
【００５７】
以上本発明につき好適な実施形態を挙げて説明したが、本発明はこの実施形態に限定されるものではなく、発明の精神を逸脱しない範囲内で多くの改変を施し得るのはもちろんである。例えば、本実施形態においては、列間スリット装置５２とカットオフ装置６０との間における製品幅の金属帯状体４９の送り方向における長さ寸法を異ならせるために、図３に示すように、第２送り装置６２の送りピン６５への製品幅の金属帯状体４９の送り方向における先端部分の装着位置をずらす方法を採用しているが、この方法に限定されるものではない。
【００５８】
他の装着方法としては、列間スリット装置５２から送り出された隣接する製品幅の金属帯状体４９を送りピン６５に装着する前に送り方向における先端側の所要長さ範囲を切断し、列間スリット装置５２からはみ出している隣接する製品幅の金属帯状体４９の長さ寸法を予め異ならせておくこともできる。このように、列間スリット装置５２とカットオフ装置６０との間における隣接する製品幅の金属帯状体４９の送り方向の長さ寸法を予め異ならせた状態で、それぞれの製品幅の金属帯状体４９の送り方向における先端部分を、送りピン６５に装着する方法を採用することも可能である。
【００５９】
また、本実施形態においては、隣り合う製品幅の金属帯状体４９に対して、列間スリット装置５２からの突出量を異ならせた受け部５６を配設した構成について説明したが、列間スリット装置５２からの突出量をすべての製品幅の金属帯状体４９に対して等しくした受け部５６としてもよい。
【００６０】
また、カットオフ装置６０の入り口部分に、製品幅の金属帯状体４９をループ形状部分から徐々に水平方向に向けてカットオフ装置６０に送り込ませるための第２受部（図示せず）を配設してもよい。第２受部の構成は受け部５６の構成と同様の構成を採用することができる。
【００６１】
また、受け部５６は、図６に示すように、列間スリット装置５２とカットオフ装置６０との間の位置で、列間スリット装置５２とカットオフ装置６０から独立（分離）した構成にすることもできる。このとき受け部５６は、図６に示すように、台座５６ｘと台座５６ｘから起立する支柱５６ｙと支柱５６ｙに沿って高さ位置が調整可能な材料受体５６ｗが取り付けられた移動体５６ｚとを有していることが好ましい。支柱５６ｙの高さ方向における移動体５６ｚの固定位置を調整することで、製品幅の金属帯状体４９の下方へのたるみ状態を適宜変更することができるからである。
【００６２】
また、材料受体５６ｗは、図６内の矢印Ｚ方向に回動可能にしてもよい。さらには、移動体５６ｚを支柱５６ｙに対して取り付け位置を固定した構成を採用してもよい。このような形態の場合においては、受け部５６全体の配設位置を適宜調整すればよい。
要は、列間スリット装置５２から送り出された製品幅の金属帯状体４９が列間スリット装置５２とカットオフ装置６０との間で、下方にたるませ状態を経た後にカットオフ装置６０に送り込む際において、互いに隣接する製品幅の金属帯状体４９どうしのたるみ形状を異ならせることができればよいのである。
【００６３】
したがって、図６に示す受け部５６を採用する場合には、列間スリット装置５２から送り出される製品幅の金属帯状体４９の全てに対して配設する必要はなく、列間スリット装置５２から送り出される製品幅の金属帯状体４９に対して一列おきに配設することも可能である。
【００６４】
また、製品幅の金属帯状体４９を列間スリット装置５２から直ちに宙吊り状態にしても自重により折れてしまうことがないことが担保されていれば、受け部５６についても、列間スリット装置５２から送り出される製品幅の金属帯状体４９に対して一列おきに配設する形態を採用することも可能である。さらには、受け部５６の配設を省略した実施形態を採用することもできる。
【００６５】
また、本発明にかかる熱交換器用フィンの製造装置１００で製造する熱交換器用フィン３０の形態は、図２に示す金属帯状体４８を個片化して得られるいわゆる扁平チューブ用放熱フィンの形態に限定されるものではなく、長手方向（搬送方向）の中心線に対称な形態を有するいわゆる丸管タイプの熱交換器用フィン３０を製造することもできる。
さらには、以上に説明したすべての構成を適宜組み合わせた熱交換器用フィンの製造装置１００を採用することもできる。
【図１】
2016103444.tif 000003
【図２】
2016103444.tif 000004
【図３】
2016103444.tif 000005
【図４】
2016103444.tif 000006
【図５】
2016103444.tif 000007
【図６】
2016103444.tif 000008
【図７】
2016103444.tif 000009
【図８】
2016103444.tif 000010
【国際調査報告】
2016103444.tif 000011
2016103444.tif 000012
2016103444.tif 000013
2016103444.tif 000014